(57)【特許請求の範囲】
【請求項１】
底壁を有するケースと、
上記ケース内に収容された磁気ディスクと、
上記底壁に固定され、上記磁気ディスクを支持および回転駆動するスピンドルモータと、
上記磁気ディスクに対して情報の記録再生を行う磁気ヘッドと、
上記底壁に固定された支持部の回りで回動自在に設けられているとともに、上記磁気ヘッドを上記磁気ディスクに対して移動可能に支持したキャリッジアッセンブリと、
上記支持部から延出した保持枠に保持されたボイスコイルと、上記底壁に取り付けられ上記ボイスコイルと対向したヨークと、を有し、上記キャリッジアッセンブリを回動させて上記磁気ヘッドを上記磁気ディスク上の任意の位置に位置決めするボイスコイルモータと
上記底壁の所定位置に脱着可能に取り付けられ、上記キャリッジアッセンブリの回動を規制するストッパと、を備え、
上記キャリッジアッセンブリの保持枠は、上記キャリッジアッセンブリが上記磁気ディスクの外周縁から外側に外れた退避位置にある時、上記ストッパと係合してキャリッジアッセンブリを上記退避位置に保持する第１係合部と、
上記磁気ヘッドが上記磁気ディスク上に位置した状態において、上記磁気ヘッドが上記磁気ディスクの最外周縁部上に位置する最外周位置まで上記キャリッジアッセンブリが回動した際、上記ストッパに当接し、上記キャリッジアッセンブリが上記最外周位置を越えて外側へ回動することを規制する第２係合部と、
を備えていることを特徴とする磁気ディスク装置。
【請求項２】
上記保持枠は、上記支持部に対して放射状に延出した第１および第２側面と、上記支持部とほぼ同軸的に位置し上記第１および第２側面間を延びた外周面と、を有し、
上記第１側面は、上記磁気ディスクの中心と上記第２側面との間に位置し、上記第１係合部を形成しているとともに、
上記第２係合部は、上記第１側面に隣接して上記外周面に形成された凹所を有していることを特徴とする請求項１に記載の磁気ディスク装置。
【請求項３】
上記ストッパはピン状に形成されているとともに、
上記ケースの底壁は、上記ストッパが脱着自在に嵌合された係合孔を有し、
上記係合孔は、上記磁気ヘッドが上記磁気ディスク上に位置している際、上記保持枠の第１側面と上記磁気ディスク外周縁との間に位置していることを特徴とする請求項２に記載の磁気ディスク装置。
【請求項４】
上記保持枠の外周面に形成された上記凹所は、上記キャリッジアッセンブリが上記退避位置に移動した際、上記係合孔と整列する位置に設けられていることを特徴とする請求項３に記載の磁気ディスク装置。
【請求項５】
底壁を有するケースと、
上記ケース内に収容された磁気ディスクと、
上記底壁に固定され、上記磁気ディスクを支持および回転駆動するスピンドルモータと、
上記磁気ディスクに対して情報の記録再生を行う磁気ヘッドと、
上記底壁に固定された支持部の回りで回動自在に設けられているとともに、上記磁気ヘッドを上記磁気ディスクに対して移動可能に支持したキャリッジアッセンブリと、
上記支持部から延出した保持枠に保持されたボイスコイルと、上記底壁に取り付けられ上記ボイスコイルと対向したヨークと、を有し、上記キャリッジアッセンブリを回動させて上記磁気ヘッドを上記磁気ディスク上の任意の位置に位置決めするボイスコイルモータと
上記底壁の所定位置に脱着可能に取り付けられ、上記磁気ヘッドが上記磁気ディスクの最外周縁部上に位置する最外周位置まで上記キャリッジアッセンブリが回動した際、上記保持枠に当接して、上記キャリッジアッセンブリが上記最外周位置を越えて外側へ回動することを規制するストッパと、
を備えた磁気ディスク装置の組立て方法において、
上記ケースの底壁に、上記スピンドルモータ、上記磁気ヘッドを支持したキャリッジアッセンブリ、および上記ボイスコイルモータを取付け、
上記キャリッジアッセンブリを、上記磁気ディスクが装着される領域の外側に外れた退避位置に回動させ、
上記ストッパを上記底壁の所定位置に取り付けて上記キャリッジアッセンブリと係合させ、上記キャリッジアッセンブリを上記退避位置に保持し、
上記磁気ディスクを上記ケース内に組込んで上記スピンドルモータに取付け、
上記ストッパを取外して上記キャリッジアッセンブリの保持を解除し、
上記解除されたキャリッジアッセンブリを上記スピンドルモータに取り付けられた磁気ディスクに向けて回動し、上記磁気ヘッドを上記磁気ディスク上に配置した後、
上記ストッパを上記底壁の上記所定位置に取り付けることを特徴とする磁気ディスク装置の組立て方法。
【請求項６】
上記キャリッジアッセンブリの保持枠は、上記支持部に対して放射状に延出した第１および第２側面と、上記支持部とほぼ同軸的に位置し上記第１および第２側面間を延びた外周面と、上記第１側面に隣接して上記外周面に形成された凹所と、を有し、
ピン状のストッパを上記底壁の所定位置に取付け、上記退避位置に回動したキャリッジアッセンブリの上記凹所と係合させることを特徴とする請求項５に記載の磁気ディスク装置の組立て方法。
【発明の詳細な説明】
【０００１】
【発明の属する技術分野】
この発明は、磁気ディスク装置に関し、特に、ロータリアクチュエータとしてのキャリッジアッセンブリを備えた磁気ディスク装置に関する。
【０００２】
【従来の技術】
近年、パーソナルコンピュータ等の電子機器においては、大容量のメモリ装置として磁気ディスク装置が広く用いられている。一般に、磁気ディスク装置は、ケース内に配設された磁気ディスクと、磁気ディスクを支持および回転駆動するスピンドルモータと、磁気ヘッドを支持したキャリッジアッセンブリと、キャリッジアッセンブリを駆動するボイスコイルモータと、基板ユニット等とを備えて構成されている。
【０００３】
キャリッジアッセンブリは、ケースに取り付けられた軸受部と、軸受部から延出した複数のアームと、各アームから延出したサスペンションと、を備え、磁気ヘッドはサスペンションの延出端に取り付けられている。そして、磁気ヘッドは、キャリッジアッセンブリを回動することにより磁気ディスク上の任意のトラックに移動可能であり、キャリッジアッセンブリおよびボイスコイルモータはロータリアクチュエータとして機能する。
【０００４】
上記構成の磁気ディスク装置を組立てる場合、通常、磁気ディスクは、ゴミの付着、傷の発生等を防止するため、できるだけ後の工程で組込まれる。すなわち、組立工程においては、まず、磁気ヘッドの搭載されたキャリッジアッセンブリ、ボイスコイルモータ、スピンドルモータ等をケースに組み込み、最後に磁気ディスクをケースに組込んでスピンドルモータに取り付ける。そして、磁気ディスクを組込む際、キャリッジアッセンブリは邪魔にならないように、磁気ディスクの組み込み領域から外周側へずれた位置に保持される。
【０００５】
従来、このようなキャリッジアッセンブリの保持工程は、専用のヘッド待機治具を用いて行われている。すなわち、ヘッド待機治具は、例えば、ピン形状に形成されている。そして、このヘッド待機治具をボイスコイルモータのトップヨークに形成された専用の孔に差し込み、その先端部をキャリッジアッセンブリに設けられたコイル保持枠の側面あるいは専用に形成された孔に係合させることによって、キャリッジアッセンブリを磁気ディスク組み込み領域側へ回動しないように保持する。この状態で、磁気ディスクをケース内に組込んでスピンドルモータに取付ける。その後、ヘッド待機治具を取外しキャリッジアッセンブリを解放する。
【０００６】
続いて、軸受部を中心としてキャリッジアッセンブリを磁気ディスク側へ回動させるとともに、専用のヘッド装填治具を用いて磁気ヘッドを磁気ディスク表面上にロードし、更に、磁気ヘッドが磁気ディスクの最内周領域に移動するまでキャリッジアッセンブリを回動させる。その後、ケースに外周ストッパを取り付けることにより、以後、キャリッジアセンブリを磁気ディスクの外周側へ最大限に移動させた場合でも、キャリッジアッセンブリのコイル保持枠が外周ストッパに当接し、磁気ヘッドが磁気ディスクの外周縁を越えて外側へ移動することがなくなる。
【０００７】
【発明が解決しようとする課題】
しかしながら、上記構成の磁気ディスク装置において、組立て時、キャリッジアッセンブリを磁気ヘッド組み込み領域の外側に保持しておくために、専用のヘッド待機治具を必要とするとともに、トップヨークに待機治具を差し込むための専用の孔を形成する必要がある。そのため、製造コストの上昇および製造効率の低下を招く結果となる。
【０００８】
この発明は、以上の点に鑑みなされたもので、その目的は、専用治具を用いることなく、また、構成部材に余分な孔等を加工することなく、キャリッジアッセンブリを所定位置に待機保持することができ、製造コストの低減および製造効率の向上を図ることが可能な磁気ディスク装置、およびその組立て方法を提供することにある。
【０００９】
【課題を解決するための手段】
上記目的を達成するため、この発明に係る磁気ディスク装置は、底壁を有するケースと、上記ケース内に収容された磁気ディスクと、上記底壁に固定され、上記磁気ディスクを支持および回転駆動するスピンドルモータと、上記磁気ディスクに対して情報の記録再生を行う磁気ヘッドと、上記底壁に固定された支持部の回りで回動自在に設けられているとともに、上記磁気ヘッドを上記磁気ディスクに対して移動可能に支持したキャリッジアッセンブリと、上記支持部から延出した保持枠に保持されたボイスコイルと、上記底壁に取り付けられ上記ボイスコイルと対向したヨークと、を有し、上記キャリッジアッセンブリを回動させて上記磁気ヘッドを上記磁気ディスク上の任意の位置に位置決めするボイスコイルモータと、上記底壁の所定位置に脱着可能に取り付けられ、上記キャリッジアッセンブリの回動を規制するストッパと、を備えている。
【００１０】
そして、上記キャリッジアッセンブリの保持枠は、上記キャリッジアッセンブリが上記磁気ディスクの外周縁から外側に外れた退避位置にある時、上記ストッパと係合してキャリッジアッセンブリを上記退避位置に保持する第１係合部と、上記磁気ヘッドが上記磁気ディスク上に位置した状態において、上記磁気ヘッドが上記磁気ディスクの最外周縁部上に位置する最外周位置まで上記キャリッジアッセンブリが回動した際、上記ストッパに当接し、上記キャリッジアッセンブリが上記最外周位置を越えて外側へ回動することを規制する第２係合部と、
を備えていることを特徴としている。
【００１１】
この発明の磁気ディスク装置によれば、上記保持枠は、上記支持部に対して放射状に延出した第１および第２側面と、上記支持部とほぼ同軸的に位置し上記第１および第２側面間を延びた外周面と、を有し、
上記第１側面は、上記磁気ディスクの中心と上記第２側面との間に位置し、上記第１係合部を形成しているとともに、上記第２係合部は、上記第１側面に隣接して上記外周面に形成された凹所を有していることを特徴としている。
【００１２】
また、上記構成を有する磁気ディスク装置を組立てるこの発明の組立て方法は、上記ケースの底壁に、上記スピンドルモータ、上記磁気ヘッドを支持したキャリッジアッセンブリ、および上記ボイスコイルモータを取付け、
上記キャリッジアッセンブリを、上記磁気ディスクが装着される領域の外側に外れた退避位置に回動させ、
上記ストッパを上記底壁の所定位置に取り付けて上記キャリッジアッセンブリと係合させ、上記キャリッジアッセンブリを上記退避位置に保持し、
上記磁気ディスクを上記ケース内に組込んで上記スピンドルモータに取付け、
上記ストッパを取外して上記キャリッジアッセンブリの保持を解除し、
上記解除されたキャリッジアッセンブリを上記スピンドルモータに取り付けられた磁気ディスクに向けて回動し、上記磁気ヘッドを上記磁気ディスク上に配置した後、
上記ストッパを上記底壁の上記所定位置に取り付けることを特徴としている。
【００１３】
以上のように構成されたこの発明の磁気ディスク装置およびその組立て方法によれば、単一のストッパを用いて、キャリッジアッセンブリの仮止め、および作動状態におけるキャリッジアッセンブリの回動規制を行うことができる。そのため、組立て時、キャリッジアッセンブリを退避位置に仮止めするための専用の治具を用意する必要がなくなる。また、ストッパは、予め決められた単一の所定位置に脱着されるため、キャリッジアッセンブリを仮止めする際に使用する専用の孔や係合部をヨーク等に形成する必要もなくなる。従って、製造コストの低減および組立て効率の向上を図ることが可能となる。
【００１４】
【発明の実施の形態】
以下図面を参照しながら、この発明をハードディスクドライブ（以下ＨＤＤと称する）に適用した実施の形態について詳細に説明する。
図１に示すように、ＨＤＤは、上面の開口した矩形箱状のケース１２と、複数のねじによりケースにねじ止めされてケースの上端開口を閉塞する図示しないトップカバーと、を有している。
【００１５】
ケース１２内には、磁気記録媒体としての３枚の磁気ディスク１６、この磁気ディスクを支持および回転させる駆動手段としてのスピンドルモータ１８、磁気ディスクに対して情報の書き込み、読み出しを行なう複数の磁気ヘッド、これらの磁気ヘッドを磁気ディスク１６に対して移動自在に支持したキャリッジアッセンブリ２２、キャリッジアッセンブリを回動および位置決めするボイスコイルモータ（以下ＶＣＭと称する）２４、およびヘッドＩＣ等を有する基板ユニット２１が収納されている。
【００１６】
また、ケース１２は矩形状の底壁１２ａを有し、この底壁外面には、基板ユニット２１を介してスピンドルモータ１８、ＶＣＭ２４、および磁気ヘッドの動作を制御する図示しないプリント回路基板がねじ止めされている。
【００１７】
磁気ディスク１６は、直径６５ｍｍ（２．５インチ）に形成され、上面および下面に磁気記録層を有している。磁気ディスク１６は、スピンドルモータ１８の図示しないハブに同軸的に嵌合されているとともにクランプばね１７によりクランプされ、所定の速度で回転駆動される。
【００１８】
図１ないし図２に示すように、キャリッジアッセンブリ２２は、ケース１２の底壁１２ａ上に固定された軸受組立体２６を備えている。支持部として機能する軸受組立体２６は、ケース１２の底壁に対して垂直に立設された枢軸２７と、枢軸に一対の軸受を介して回転自在に支持された円筒形状のハブ２８と、を有している。また、キャリッジアッセンブリ２２は、ハブ２８に取り付けられた２本のアーム３２および１つのスペーサリングと、各アームに支持された磁気ヘッド組立体３６と、を備えている。
【００１９】
アーム３２は、例えば、ＳＵＳ３０４等のステンレス系の材料により、板厚２５０μｍ程度の平板状に形成されているとともに、その一端、つまり、基端には図示しない透孔が形成されている。
【００２０】
各磁気ヘッド組立体３６は、弾性変形可能な細長い板状のサスペンション３８と、サスペンションの先端に固定された磁気ヘッド４０と、を備えている。サスペンション３８は、板ばねにより構成され、その基端がスポット溶接あるいは接着によりアーム３２の先端に固定され、アームから延出している。
【００２１】
各磁気ヘッド４０は、ほぼ矩形状のスライダとこのスライダに形成された記録再生用のＭＲ（磁気抵抗）ヘッドとを有し、サスペンション３８の先端部に図示しないジンバル部を介して固定されている。
【００２２】
磁気ヘッド組立体３６の固定されたアーム３２は、基端部の透孔に軸受組立体２６のハブ２８を挿通することにより、積層された状態でハブの外周に嵌合されている。また、スペーサリングは、アーム間に挟まれた状態でハブ２８の外周に嵌合されている。これにより、２本のアーム３２は、所定の間隔を置いて互いに平行に位置しているとともにハブ２８から同一の方向へ延出している。
【００２３】
上述したキャリッジアッセンブリ２２は、磁気ヘッド４０が磁気ディスク１６の外側に外れて位置する図２に実線で示す退避位置に回動した際、各アーム３２およびサスペンション３８が磁気ディスク１６と重ならないように、つまり、磁気ディスクの軸方向に関して磁気ディスクと重ならないように、形成されている。
【００２４】
また、キャリッジアッセンブリ２２は、１つのスペーサリングからアーム３２と反対の方向へ延出した保持枠４４を有し、この保持枠により、ＶＣＭ２４の一部を構成するボイスコイル４５を支持している。保持枠４４は、合成樹脂によりボイスコイル４５の外周に一体的に成形されているとともに、取付部５０を介してスペーサリングに固定されている。なお、取付部５０には、ボイスコイル４５に接続された端子を有するコネクタ５２が一体的に形成されている。
【００２５】
図２および図４から良く分かるように、保持枠４４は、軸受組立体２６に対して放射状に延びた第１および第２側面４４ａ、４４ｂと、軸受組立体とほぼ同軸的なほぼ円弧状に形成され第１および第２側面間を延びる外周面４４ｃと、を有している。第１側面４４ａは、第２側面４４ｂと磁気ディスク１６の中心との間に位置し、この発明における第１係合部を構成している。また、第１側面４４ａの近傍において、外周面４４ｃには浅い凹所５４が形成されている。凹所５４は、この発明における第２係合部として機能する。
【００２６】
図１に示すように、上記のように構成されたキャリッジアッセンブリ２２をケース１２に組み込んだ状態において、磁気ディスク１６は２本のアーム３２間に位置している。そして、サスペンション３８に取り付けられた磁気ヘッド４０は、磁気ディスク１６の上面および下面にそれぞれ対向し、磁気ディスク１６を両面側から挟持している。各磁気ヘッド４０は、サスペンション３８のばね力により磁気ディスク表面に向かって所定のヘッド荷重が印加されている。
【００２７】
また、ケース１２の底壁１２ａ上にはロワーヨーク４８ａが固定されているとともに、このロワーヨークに所定の間隔を置いてトップヨーク４８ｂが対向配置さている。キャリッジアッセンブリ２２の保持枠４４に固定されたボイスコイル４５は、ロワーヨーク４８ａとトップヨーク４８ｂとの間に位置し、ロワーヨーク上に固定された磁石４６とともにＶＣＭ２４を構成している。そして、ボイスコイル４５に通電すると、キャリッジアッセンブリ２２が軸受組立体２６の回りで回動し、磁気ヘッド４０は磁気ディスク１６の所望のトラック上に移動および位置決めされる。
【００２８】
図１および図４に示すように、ケース１２の底壁１２ａには、キャリッジアッセンブリ２２の回動を規制するストッパ６０が脱着自在に取り付けられている。すなわち、ケース１２の底壁１２ａの所定位置には係合孔６２が形成されている。ストッパ６０は、例えば、ゴム、合成樹脂、金属等によってピン状に形成されている。そして、ストッパ６０は係合孔６２に脱着自在い嵌合され、底壁１２ａ上にほぼ垂直に立設されている。なお、ロワーヨーク４８ａおよびトップヨーク４８ｂの内、係合孔６２と対向する部分は切除され、これらのヨークをケース１２に取り付けた状態でも、ストッパ６０の脱着が可能となっている。
【００２９】
また、図１および図３に示すように、キャリッジアッセンブリ２２の作動状態において、つまり、磁気ヘッド４０が磁気ディスク１６上に位置している状態において、ストッパ６０は保持枠４４の第１側面４４ａと磁気ディスク１６外周縁との間に位置している。そして、キャリッジアッセンブリ２２が図１に示す最外周位置に回動し、磁気ヘッド４０が磁気ディスク１６上の外周縁部まで移動すると、保持枠４４の第１側面４４ａがストッパ６０に当接する。従って、ストッパ６０は、キャリッジアッセンブリ２２が最外周位置を越えて外側へ回動することを規制し、磁気ヘッド４０が磁気ディスク１６表面から外方へ外れることを防止する。
【００３０】
一方、基板ユニット２１は、図示しない複数の電子部品およびコネクタ等を有し、図示しないフレキシブルプリント回路基板を介してキャリッジアッセンブリ２２に接続されている。
【００３１】
上記のように構成されたＨＤＤによれば、図１に示すように、通常の動作時、ＶＣＭ２４によってキャリッジアッセンブリ２２を回動することにより、磁気ヘッド４０は磁気ディスク１６の所望のトラック上に移動され、磁気ディスクに対して情報の記録あるいは再生を行う。
【００３２】
次に、以上のように構成されたＨＤＤの組立方法について説明する。
まず、ケース１２の底壁１２ａに、スピンドルモータ１８、基板ユニット２１、ロワーヨーク４８ａを組み込み固定する。また、磁気ヘッド４０を支持したキャリッジアッセンブリ２２の軸受組立体２６を底壁１２ａに固定し、キャリッジアッセンブリ２２をケース１２内に組込んだ後、トップヨーク４８ｂを組込む。
【００３３】
続いて、図５に示すように、キャリッジアッセンブリ２２を図２に実線で示す退避位置に回動させる。この退避位置において、キャリッジアッセンブリ２２は、磁気ディスク１６の装着領域から外側に外れて位置しているとともに、保持枠４４の凹所５４は、ケース１２の底壁１２ａに形成された係合孔６２と整列して位置している。
【００３４】
この状態で、ストッパ６０を係合孔６２に嵌合し、保持枠４４の凹所５４と係合させる。従って、キャリッジアッセンブリ２２は、ストッパ６０によって回動が規制され、退避位置に保持される。
【００３５】
その後、磁気ディスク１６をケース１２内に組み込み、スピンドルモータ１８のハブに固定する。この際、キャリッジアッセンブリ２２は退避位置に保持されていることから、キャリッジアッセンブリが邪魔になることなく、磁気ディスク１６を容易に、かつ、円滑に組込むことができる。
【００３６】
続いて、ストッパ６０をケース１２から取外し、キャリッジアッセンブリ２２の保持を解除する。これによりキャリッジアッセンブリ２２が回動可能となる。そして、このキャリッジアッセンブリ２２をスピンドルモータ１８に取り付けられた磁気ディスク１６に向けて回動するとともに、図示しないヘッド装填治具を用いて磁気ヘッド４０を磁気ディスク表面上にロードし、更に、磁気ヘッドが磁気ディスクの最内周領域に位置するまでキャリッジアッセンブリを回動する。
【００３７】
このように磁気ヘッド４０を磁気ディスク１６上に配置した後、図１および図３に示すように、ストッパ６０を底壁１２ａの係合孔６２に嵌合する。その後、基板ユニット２１のフレキシブルプリント基板をキャリッジアッセンブリ２２に接続し、更に、図示しないトップカバーをケース１２にねじ止めする。これにより、ＨＤＤの組立が終了する。
【００３８】
以上のように構成されたＨＤＤによれば、単一のストッパ６０を用いて、組立時のキャリッジアッセンブリ２２の仮止め、および作動状態におけるキャリッジアッセンブリの回動規制を行うことができる。そのため、組立て時、キャリッジアッセンブリ２２を退避位置に仮止めするための専用の治具を用意する必要がなくなる。また、ストッパ６０は、所定位置に形成された係合孔６２に脱着されるため、キャリッジアッセンブリ２２を仮止めする際に使用する専用の孔や係合部をケースやヨーク等に形成する必要もなくなる。従って、製造コストの低減および組立て効率の向上を図ることが可能となる。
【００３９】
なお、この発明は上述した実施の形態に限定されることなく、この発明の範囲内で種々変形可能である。例えば、磁気ディスクの枚数、これに対応する磁気ヘッドの数、アームの数等は、必要に応じて増減可能であり、磁気ヘッドの増加に応じて、ランプロード機構のランプ数を増加する。また、ストッパの形状、第１および第２係合部の形状は必要に応じて変形可能である。更に、ストッパの脱着取付けは、孔とピンの組合わせに限らず、例えば、ねじ止め等としてもよく、ストッパの取付け位置も、ケース底壁に限らず、ロワーヨークとしてもよい。
【００４０】
【発明の効果】
以上詳述したように、この発明によれば、単一のストッパを、キャリッジアッセンブリ仮止め用の部材およびキャリッジアッセンブリの回動規制部材として利用することにより、製造コストの低減および製造効率の向上を図るこが可能な磁気ディスク装置、およびその組立て方法を提供することができる。
【図面の簡単な説明】
【図１】この発明の実施の形態に係るＨＤＤを示す分解斜視図。
【図２】上記ＨＤＤに設けられたキャリッジアッセンブリの平面図。
【図３】上記ＨＤＤの平面図。
【図４】上記キャリッジアッセンブリの保持枠の一部、およびストッパを示す分解斜視図。
【図５】ＨＤＤの組立時、上記キャリッジアッセンブリを退避位置に仮止めした状態を示す平面図。
【符号の説明】
１２…ケース
１２ａ…底壁
１６…磁気ディスク
１８…スピンドルモータ
２２…キャリッジアッセンブリ
２４…ボイスコイルモータ
２６…軸受組立体
３２…アーム
３８…サスペンション
４０…磁気ヘッド
４４…保持枠
４４ａ…第１側面
４４ｂ…第２側面
４４ｃ…外周面
４５…ボイスコイル
４８ａ…ロワーヨーク
４８ｂ…トップヨーク
５４…凹所
６０…ストッパ
６２…係合孔
７０…ランプ
７２…ガイド面
【図１】
0003715434.tif 000002
【図２】
0003715434.tif 000003
【図３】
0003715434.tif 000004
【図４】
0003715434.tif 000005
【図５】
0003715434.tif 000006